(57)【要約】【課題】搬送時などに収納機器内の燃料電池モジュールの位置ずれなどによって燃料電池モジュールが破損するおそれがあった。【解決手段】燃料ガスと酸素含有ガスとによって発電を行う柱状の燃料電池セルを複数配列してなるセルスタックと、セルスタックの下方に配置され、各燃料電池セルの下端がそれぞれ接続され、各燃料電池セルに燃料ガスを供給するマニホールドと、を備えるセルスタック装置と、セルスタック装置を収納する筐体と、筐体に収納され、セルスタック装置を保持する保持部材とを備え、保持部材は、筐体に固定され、かつ下端部が前記マニホールドと当接してセルスタック装置を保持していることによって、動作時または搬送時の燃料電池モジュールの破損を防ぐことができる。【選択図】      図１
2018055919.tif 000002
【特許請求の範囲】
【請求項１】
燃料ガスと酸素含有ガスとによって発電を行う柱状の燃料電池セルを複数配列してなるセルスタックと、
該セルスタックの下方に配置され、前記各燃料電池セルの下端がそれぞれ接続され、前記各燃料電池セルに燃料ガスを供給するマニホールドと、を備えるセルスタック装置と、
前記セルスタック装置を収納する筐体と、
該筐体に収納され、前記セルスタック装置を保持する保持部材とを備え、
該保持部材は、前記筐体に固定され、かつ下端部が前記マニホールドと当接して前記セルスタック装置を保持している
ことを特徴とする燃料電池モジュール。
【請求項２】
前記保持部材は、上端部が前記セルスタック装置より上方の前記筐体の壁に固定され、かつ前記セルスタック装置の前記燃料電池セルの配列方向に沿った側方に配置された板状の本体部を備えることを特徴とする請求項１に記載の燃料電池モジュール。
【請求項３】
１ないし複数の前記本体部を備え、
前記本体部の少なくとも１つが、前記燃料電池セルに酸素含有ガスを供給するための酸素含有ガス導入部材を兼ねていることを特徴とする請求項２に記載の燃料電池モジュール。
【請求項４】
前記保持部材は、前記本体部の下端部に、前記燃料電池セルの配列方向に延びて前記マニホールドの底面と当接する第一保持部を有することを特徴とする請求項２または３に記載の燃料電池モジュール。
【請求項５】
前記本体部を複数備えており、複数の該本体部は前記セルスタック装置の前記燃料電池セルの配列方向に沿った第一側方及び第二側方に対向して前記セルスタック装置を挟んで配置されることを特徴とする請求項２〜４のいずれか１つに記載の燃料電池モジュール。
【請求項６】
前記保持部材は、前記本体部に接続されるとともに、前記マニホールドにおける前記燃料電池セルの配列方向と直交する側面と対向する第二保持部を有することを特徴とする請求項２〜５のいずれか１つに記載の燃料電池モジュール。
【請求項７】
前記第二保持部が、前記マニホールドの上面と対向する上面押さえ部を有することを特徴とする請求項６に記載の燃料電池モジュール。
【請求項８】
前記第二保持部は、水平方向に延びた板状の部材であり、
前記第二保持部の長手方向のそれぞれの端部が、複数の前記本体部にそれぞれに固定されていることを特徴とする請求項６または７に記載の燃料電池モジュール。
【請求項９】
前記第二保持部と、複数の前記本体部の少なくとも一方とが係合によって固定されていることを特徴とする請求項８に記載の燃料電池モジュール。
【請求項１０】
前記マニホールドが、前記燃料電池セルの下端部を固定するための枠状部材を有しており、
前記保持部材は、前記本体部に前記枠状部材の上面と対向する第三保持部を有していることを特徴とする請求項２〜９のいずれか１つに記載の燃料電池モジュール。
【請求項１１】
前記セルスタック装置の前記燃料電池セルの配列方向に沿った側方に断熱材が配置されており、
前記保持部材が、前記本体部の上端部において前記断熱材の上端部と対向する断熱材保持部を備えることを特徴とする請求項２〜１０のいずれか１つに記載の燃料電池モジュール。
【請求項１２】
前記筐体は、前記燃料電池セルの発電に使用されなかった排ガスを前記筐体の外部に排出するための排ガス流路を前記筐体の壁に沿って備え、
前記保持部材と前記筐体の壁との間の空間が前記排ガス流路に含まれることを特徴とする請求項１〜１１のいずれか１つに記載の燃料電池モジュール。
【請求項１３】
請求項１〜１２のいずれか１つに記載の燃料電池モジュールと、該燃料電池モジュールを作動させるための補機と、前記燃料電池モジュールおよび前記補機を収納する外装ケースとを備えることを特徴とする燃料電池装置。
【発明の詳細な説明】
【技術分野】
【０００１】
本発明は、燃料電池モジュールおよび燃料電池装置に関する。
【背景技術】
【０００２】
近年、次世代エネルギーとして、燃料ガス（水素含有ガス）と空気（酸素含有ガス）とを用いて電力を得ることができる燃料電池セルを筐体内に収納してなる燃料電池モジュールや燃料電池モジュールを外装ケース内に収納してなる燃料電池装置が種々提案されている（たとえば、特許文献１参照）。
【先行技術文献】
【特許文献】
【０００３】
【特許文献１】特開２００５−１５８５２７号公報
【発明の概要】
【発明が解決しようとする課題】
【０００４】
ところで、搬送時の振動などにより筐体内のセルスタック装置が振動し、それに伴って生じる衝撃によって、セルスタック装置に破損が生じ、燃料電池モジュールの長期信頼性が低下するおそれがある。それゆえ、長期信頼性の向上した燃料電池モジュールが求められている。
【課題を解決するための手段】
【０００５】
本発明の燃料電池モジュールは、燃料ガスと酸素含有ガスとによって発電を行う柱状の燃料電池セルを複数配列してなるセルスタックと、セルスタックの下方に配置され、各燃料電池セルの下端がそれぞれ接続され、各燃料電池セルに燃料ガスを供給するマニホールドと、を備えるセルスタック装置と、セルスタック装置を収納する筐体と、筐体に収納され、セルスタック装置を保持する保持部材とを備え、保持部材は、筐体に固定され、かつ下端部が前記マニホールドと当接してセルスタック装置を保持していることを特徴とするものである。
【０００６】
本発明の燃料電池装置は、上記の燃料電池モジュールと、燃料電池モジュールを作動させるための補機と、燃料電池モジュールおよび前記補機を収納する外装ケースとを備えることを特徴とするものである。
【発明の効果】
【０００７】
本発明の実施形態に係る燃料電池モジュールによれば、燃料電池モジュールの筐体内でセルスタック装置の位置ずれを防ぐことができるので、搬送時のセルスタック装置に加えられる衝撃を低減することができる。それゆえ、信頼性の高い燃料電池モジュールおよび燃料電池装置を提供することができる。
【図面の簡単な説明】
【０００８】
【図１】本実施形態の燃料電池モジュールの一例を示す断面図である。
【図２】本実施形態の燃料電池モジュールのセルスタック装置および保持部材の一例を示す斜視図である。
【図３】本実施形態の燃料電池モジュールのセルスタック装置および保持部材の一例を示す分解斜視図である。
【図４】本実施形態の燃料電池モジュールのセルスタック装置および保持部材の一例を示す部分斜視図である。
【図５】本実施形態の燃料電池モジュールのセルスタック装置および保持部材の一例を示す部分斜視図である。
【図６】本実施形態の燃料電池モジュールのセルスタック装置および保持部材の他の一例を示す部分斜視図である。
【図７】本実施形態の燃料電池モジュールのセルスタック装置および保持部材の他の一例を示す側面図である。
【図８】本実施形態の燃料電池装置の一例を示す斜視図である。
【発明を実施するための形態】
【０００９】
本実施形態の燃料電池モジュールは、筐体内部の収納室内に、燃料ガスと酸素含有ガスとで発電を行なう複数の燃料電池セルが、互いに電気的に接続されてなるセルスタックを収納して構成されている。
【００１０】
以下、図１〜３を用いて本実施形態の一例の燃料電池モジュールについて説明する。図１は、本実施形態の一例を示す燃料電池モジュール１の断面図であり、図２は、セルスタック装置および保持部材の斜視図であり、図３は、セルスタック装置および保持部材の分解斜視図である。
【００１１】
本実施形態の燃料電池モジュール１は、筐体２０内にセルスタック装置１０を収納してなる。セルスタック装置１０は、内部を燃料ガスが一端から他端に流通するガス流路を有する中空平板型の柱状の燃料電池セル１１を立設させた状態で一列に複数配列したセルスタック１３を有する。なお、配列方向に隣接する燃料電池セル１１間が導電部材を介して電気的に直列に接続されている。各燃料電池セル１１の下端は、絶縁性接着材でマニホールド１２に固定されている。
【００１２】
マニホールド１２は、燃料電池セル１１の下端部を固定するための枠状体１２ｂと、この枠状体１２ｂから張り出して設けられる板状体１２ａとを有している。また、セルスタック１３における燃料電池セル１１の配列方向の端部には、燃料電池セル１１で発電された電流を外部に流出するための電流引出部１９を有する端部導電部材１８が配置されている。なお、燃料電池セル１１としては、柱状のものであればよく、例えば円筒型や横縞型にも適用できる。
【００１３】
セルスタック１３の上方には、燃料電池セル１１に供給する燃料ガスを生成するための改質器１４が配置されている。マニホールド１２とセルスタック１３とでセルスタック装置１０が構成されている。なお、改質器１４をセルスタック装置１０に含んでいてもよい。
【００１４】
改質器１４は、原燃料供給管を介して供給される天然ガスや灯油等の原燃料を改質して燃料ガスを生成する。なお、図３に示すように改質器１４は、改質効率のよい改質反応である水蒸気改質を行うことができる構造とすることが好ましく、水を気化させるための気化部１４ａと、原燃料を燃料ガスに改質するための改質触媒が配置された改質部１４ｂとを備えている。
【００１５】
筐体２０は、一面が開口した箱体２１と、箱体２１の開口を塞ぐ蓋体２９とからなる。本実施形態では、箱体２１は直方体形状である。また、箱体２１の開口に隣接する４つの面のうちの一面である天板２２と平行に、流路天板２３が設けられており、天板２２と流路天板２３の間の空間が外部から導入された空気が流通する空気流路２４となっている。筐体２０の一部である流路天板２３は、箱体２１に溶接されて固定されている。
【００１６】
セルスタック装置１０の長手方向側面を覆うように酸素含有ガス導入板３１が配置されている。酸素含有ガス導入板３１は、流路天板２３の上面と当接する鍔部３１ａを備えており、流路天板２３と接合されている。酸素含有ガス導入板３１は、内部が中空であって、酸素含有ガス導入路３１ｃを備えている。鍔部３１ａの中央には、セルスタック１３の配列方向に延びた酸素含有ガス導入口３１ｂが設けられている。酸素含有ガス導入板３１の下部であって、セルスタック装置１０に臨む面に、セルスタック１３の配列方向に複数の酸素含有ガス流出口３１ｄが設けられている。空気流路２４と酸素含有ガス導入路３１ｃとは酸素含有ガス導入口３１ｂを介して連通している。
【００１７】
筐体２０の蓋体２９には、セルスタック装置１０に筐体２０外からの空気を導入する酸素含有ガス流路２７と、セルスタック装置１０からの排ガスを筐体２０外に排出する排ガス流路２８とが隣接して設けられている。酸素含有ガスは吸気口２７ａから導入され、図１に示した実線矢印に沿って上向き流路２７ｂを通過する。上向き流路２７ｂの両側には下向き排ガス流路２８ａおよび上向き排ガス流路２８ｂが設けられており、これらの排ガス流路に高温の排ガスが流れることで、上向き流路２７ｂを通過する酸素含有ガスを加熱する。上向き流路２７ｂを通過した酸素含有ガスは、天板２２と流路天板２３との間の空気流路２４を通過し、酸素含有ガス導入口３１ｂから酸素含有ガス導入路３１ｃに流入し、酸素含有ガス流出口３１ｄからセルスタック１３の下部に流入する。
【００１８】
改質器１４に原燃料と水とが供給されると水素を含む燃料ガスが生成される。燃料ガスは、マニホールド１２に供給されてセルスタック装置１０の各燃料電池セル１１の内部を通過し、さらに、酸素含有ガスが燃料電池セル１１の外側を通過することによって発電が行われる。発電に使用されなかった燃料ガスは、酸素含有ガスと合流してセルスタック１３の上部で燃焼し、改質器１４を加熱する。セルスタック装置から排出される排ガスは、筐体２０の流路天板２３に沿って設けられた排ガス流路２６を通って、図１に示した点線矢印に沿って下向き排ガス流路２８ａおよび上向き排ガス流路２８ｂを順に通過し、排気口２８ｃから排出される。
【００１９】
また、本実施形態の燃料電池モジュール１は、セルスタック装置１０を保持する保持部材を備えている。保持部材は、筐体２０に固定され、かつ下端部がマニホールド１２と当接してセルスタック装置１０を保持している。なお、「セルスタック装置１０を保持する」とは、筐体２０内において、少なくとも一つの方向にセルスタック装置１０が移動することを抑制することをいう。この構成により、筐体２０内でセルスタック装置１０の位置ずれを抑制することができるので、搬送時の振動などによりセルスタック装置１０に加えられる衝撃を低減することができ、長期信頼性の向上した燃料電池モジュール１とすることができる。また、マニホールド１２と保持部材を当接させることにより、燃料電池セル１１に衝撃を与えることなくセルスタック装置１０を保持することができる。
【００２０】
図１に示す本実施形態の保持部材は、燃料電池セル１１の配列方向に沿った一方の側方である第一側方に保持部材の本体部である保持板３２を有している。また、燃料電池セル１１の第一側方に対向する第二側方に保持部材の本体部である酸素含有ガス導入板３１を有している。すなわち、セルスタック装置１０を挟んで複数の本体部が配置されている。言い換えれば、図１に示す本実施形態においては、第一側方に第一保持部材が配置され、第二側方に第二保持部材が配置されており、第一保持部材と第二保持部材とを備えた保持部材であるといえる。この構成により、筐体２０内でセルスタック装置１０の位置ずれをさらに抑制できる。
【００２１】
「本体部」とは、セルスタック装置１０の燃料電池セル１１の配列方向に沿った側方に配置された板状体をいう。
言い換えれば、セルスタック装置１０の一方側方に位置する酸素含有ガス導入板３１は保持部材の本体部を兼ねていると言え、それにより、燃料電池モジュール１の小型化に寄与している。なお、第一側方及び第二側方のいずれの本体部ともに酸素含有ガス導入板３１であってもよい。なお、本実施形態においては本体部を複数有しているが、１の本体部のみを備えていてもよい。すなわち、保持部材は、１ないし複数の本体部を備えており、本体部の少なくとも１つが酸素含有ガス導入部材を兼ねている。また、言い換えれば、保持部材が、第一保持部材または第二保持部材の一方のみを備えていてもよい。
【００２２】
保持部材の本体部である酸素含有ガス導入板３１は、その下端がマニホールド１２の下方まで延設されおり、さらにセルスタック装置１０の長手方向側面を覆うように設けられている。また、保持部材の本体部である保持板３２は、酸素含有ガス導入板３１とほぼ平行に設けられており、さらにセルスタック装置１０の長手方向側面を覆うように設けられている。
【００２３】
このように、保持部材の本体部である酸素含有ガス導入板３１および保持板３２は、燃料電池セル１１の配列方向に沿った２つの側方に対向してセルスタック装置１０を挟んで配置されている。酸素含有ガス導入板３１と保持板３２とで挟まれた空間が収納室２５であり、酸素含有ガス（空気）の通路となっている。この収納室２５は、排ガス流路２６と連通している。さらに、酸素含有ガス導入板３１と保持板３２の外側にはそれぞれ断熱材４１、４２が配置されている。対向する保持部材の本体部である酸素含有ガス導入板３１および保持板３２の外側に断熱材４１、４２を配置することにより、酸素含有ガス導入板３１および保持板３２に挟まれた収納室２５を高温に保つことができるので、発電効率の高い燃料電池装置を実現することができる。
【００２４】
図１〜３に示されるように、保持板３２の上辺の両端部には、２つの吊り下げ金具３３が接続されている。２つの吊り下げ金具３３は、流路天板２３の下面にそれぞれ固定されている。吊り下げ金具３３によって、保持板３２は、筐体２０の一部である流路天板２３に固定されている。
【００２５】
上記の実施の形態では、流路天板２３に取付けられた保持部材の本体部である酸素含有ガス導入板３１および保持板３２によって筐体２０上部の壁である流路天板２３から吊り下げるようにセルスタック装置１０を固定している。
【００２６】
筐体２０の上方部分は他の部分に比べて温度が高くなっており、酸素含有ガス導入板３１および保持板３２の上端部が、セルスタック装置１０より上方の筐体２０の壁である流路天板２３に固定される場合には、熱伝導によって保持部材を高温に保つことができる。そのため、保持部材に側方を覆われているセルスタック装置１０を高温に保つことができるので、発電効率を向上させることができる。なお、本実施形態においては、これら保持部材が筐体２０の上壁である流路天板２３に固定された例を示したが、筐体２０の壁であればその固定場所は特に制限はない。
【００２７】
保持部材は、本体部である保持板３２及び酸素含有ガス導入板３１のそれぞれの下端部にマニホールド１２側に折り曲げられた第一保持部Ａを備えている。すなわち、第一保持部Ａが、燃料電池セル１１の配列方向に延びて前記マニホールド１２の底面と当接することにより垂直下向き方向にセルスタック装置１０が移動することを抑制することができる。なお、本体部を複数有する場合に、燃料電池セル１１の配列方向に沿った一方の側方の本体部にのみ第一保持部Ａが設けられていてもよい。
【００２８】
図４は、本実施形態の燃料電池モジュールのセルスタック装置および保持部材を示す部分斜視図である。保持部材は、保持板３２の下端部付近から酸素含有ガス導入板３１の下端部付近にわたって水平に設けられた第二保持部Ｂを有している。
【００２９】
第二保持部Ｂは、マニホールド１２における燃料電池セル１１の配列方向と直交する側面と対向する板状部材であって、マニホールド１２が燃料電池セル１１の配列方向に動くことを制限する。第二保持部は酸素含有ガス導入板３１または保持板３２と一体となっていても良い。なお、本体部が単数の場合、すなわち酸素含有ガス導入板３１が本体部を兼ねており第一側方に保持板３２が存在しない場合には、第二保持部Ｂの一端が本体部である酸素含有ガス導入板３１に固定され、他端が筐体２０の内壁に固定されることによりマニホールド１２が燃料電池セル１１の配列方向に動くことを制限することができる。具体的には、第二保持部Ｂの他端は、複数の燃料電池セル１１の配列方向に沿う筐体２０の側壁の内壁に固定されていてもよい。
【００３０】
第二保持部Ｂは、マニホールド１２の板状体１２ａの上面１２ｃと対向する第一上面押さえ部Ｂ１ａを備えている。第一上面押さえ部Ｂ１ａは、第二保持部Ｂの一部を折り曲げて形成され、マニホールド１２の板状体１２ａの上面１２ｃの端部と対向している。上面１２ｃが上面押さえ部Ｂ１ａに当接することによってセルスタック装置１０の上方への移動を制限する。なお、「マニホールド１２の上面１２ｃ」とは、板状体１２ａ及び枠状体１２ｂの平面視で視認できる部分をいう。
【００３１】
なお、第二保持部Ｂは、マニホールド１２との間に間隙を挟んで配置してもよい。すなわち、当該実施形態においては、第二保持部Ｂはマニホールド１２と対向していることとなる。第二保持部Ｂをセルスタック装置１０に固定しないことで、燃料電池モジュール１の温度変化でセルスタック装置１０が膨張あるいは収縮した場合に、第二保持部Ｂへ加わる応力を軽減することができる。またこの場合、セルスタック装置１０が移動した際に、マニホールド１２が保持部材と当接することによって、セルスタック装置１０がそれ以上に水平方向又は垂直上向きに移動することを抑制できる。
【００３２】
また、第二保持部Ｂは、長手方向のそれぞれの端部が本体部である保持板３２および酸素含有ガス導入板３１にそれぞれに固定されている。この構成により、セルスタック装置を、第二保持部Ｂで連結された保持板３２および酸素含有ガス導入板３１で挟み込むことができるので、セルスタック装置１０の燃料電池セル１１の配列方向と直交する方向にセルスタック装置１０が移動することを制限することができる。
【００３３】
さらに、第二保持部Ｂは、燃料電池セル１１の配列方向の両端にそれぞれ設けられていてもよい。すなわち、保持部材は２つの第二保持部Ｂを有していてもよい。この構成により、２つの第二保持部Ｂが保持板３２と酸素含有ガス導入板３１に取付けられてマニホールド１２を囲い込むことにより、セルスタック装置１０の燃料電池セル１１の配列方向と直交する方向に加えて、燃料電池セル１１の配列方向にもセルスタック装置１０が移動することを制限することができる。
【００３４】
第二保持部Ｂと、筐体２０の開口から遠い側の本体部である酸素含有ガス導入板３１は係合により固定されている。この構成により、組み立て時において、筐体２０の開口から内蔵部品を積み重ねるように筐体２０内に組み込む場合、第二保持部Ｂと酸素含有ガス導入板３１とは係合により固定され、ねじ止め等をする必要がないため容易に第二保持部Ｂを固定することができる。
【００３５】
さらに、保持部材の本体部を構成する保持板３２は、枠状体１２ｂの上面１２ｃと対向する位置に第三保持部Ｃを備えている。第三保持部Ｃは保持板３２の下方を枠状体１２ｂの上面１２ｃと対向するように折り曲げて形成されている。この構成により、枠状体１２ｂの上面１２ｃが第三保持部Ｃに当接することによってセルスタック装置１０の上方への移動を制限することができる。
【００３６】
図５は本実施形態の燃料電池モジュールのセルスタック装置および保持部材を示す部分斜視図である。保持部材は、断熱材４２の上端部と対向する位置に、断熱材保持部Ｄを備えている。断熱材保持部Ｄによって、断熱材４２の位置ずれを抑制することができる。断熱材４２が流路天板２３の方向に移動しようとしても、断熱材保持部Ｄが断熱材４２に当接することで、断熱材４２が流路天板２３側にずれることを防ぐので、排ガス流路２６の閉塞や狭窄を防止することができる。図５で示す断熱材保持部Ｄは吊り下げ金具３３に設けられているが、本体部に設けられていても良い。
【００３７】
保持板３２の上端に接続された２つの吊り下げ金具３３、３３の間には空間があり、この空間を介して収納室２５と排ガス流路２６とが連通している。すなわち、保持部材と筐体２０の壁との間の空間は排ガス流路２６の基端を構成しており、排ガス流路２６に含まれている。保持部材と筐体２０の壁との間の空間が排ガス流路に含まれることで、排ガス流路の構成する部品数を削減できるためコストダウンを図ることができる。
【００３８】
以下、本実施形態の他の一例の燃料電池モジュールについて図６および７を用いて説明する。図６は、本実施形態の燃料電池モジュールのセルスタック装置および保持部材を示す部分斜視図である。図７は、本実施形態の燃料電池モジュールのセルスタック装置および保持部材を示す側面図である。図６、図７において他の実施形態の第二保持部Ｂを示す。なお、図７において保持板３２は省略されている。
【００３９】
この実施形態においては、第二保持部Ｂの他端がねじ止めによって保持板３２に固定されている。すなわち、第二保持部Ｂの他端はセルスタック装置１０の燃料電池セル１１の配列方向に折れ曲がって形成されているねじ止め部Ｂ２を有しており、燃料電池セル１１の配列方向と直交する方向にねじ止めされている。この構成により、保持板３２が筐体２０の開口側に存在するように当該セルスタック装置１０を筐体に収納する場合には、当該他端の第二保持部Ｂと保持板３２とを容易にねじ止めによって固定することができる。
【００４０】
第二保持部Ｂは板状体１２ａの上面１２ｃと対向している第一上面押さえ部Ｂ１ａと枠状体１２ｂの上面１２ｃと対向している第二上面押さえ部Ｂ１ｂを有している。この構成により、セルスタック装置１０の上方への位置ずれをさらに制限することができる。
【００４１】
また、第二保持部Ｂのうち、セルスタック装置１０の電流引出部１９の下方に位置する上端には切り欠き部Ｂ３を有している。この構成により、電流引出部１９と第二保持部Ｂとの短絡を防止することができる。
【００４２】
上記の各実施形態において、少なくとも一つの本体部を有する保持部材は、第一保持部Ａ、第二保持部Ｂ、第三保持部Ｃ、および断熱材保持部Ｄの少なくとも一部または全部が含まれる。
【００４３】
以下、図８を用いて本実施形態の一例の燃料電池装置について説明する。図８は、直方体形状の筐体２０内にセルスタック装置１０を収納した燃料電池モジュール１と、燃料電池モジュール１を動作させるための補機（図示せず）とを収納した、本実施形態の一例の燃料電池装置２の構成を示す分解斜視図である。なお、図８においては一部構成を省略して示している
【００４４】
燃料電池装置２は、支柱５１と外装板５２から構成される外装ケース５０内を仕切板５３によって上下に区画し、その上側を上述の燃料電池モジュール１を収納するモジュール収納室５４とし、下側を燃料電池モジュール１を動作させるための補機を収納する補機収納室５５として構成されている。なお補機収納室５５に収納する補機を省略して示している。
【００４５】
また、仕切板５３には補機収納室５５の空気をモジュール収納室５４側に流すための空気流通口５６が設けられており、モジュール収納室５４を構成する外装板５２の一部にモジュール収納室５４内の空気を排気するための排気口５７が設けられている。
【００４６】
このような燃料電池装置２においては、信頼性の高い燃料電池装置とすることができる。
【００４７】
以上、本発明について詳細に説明したが、本発明は上述の実施の形態に限定されるものではなく、本発明の要旨を逸脱しない範囲内において種々の変更、改良等が可能である。
【符号の説明】
【００４８】
１      燃料電池モジュール
２      燃料電池装置
１０    セルスタック装置
１１    燃料電池セル
１２    マニホールド
１２ａ  板状体
１２ｂ  枠状部
１２ｃ  上面
１３    セルスタック
２０    筐体
２４    空気流路
２５    収納室
２６    排ガス流路
３１    酸素含有ガス導入板
３２    保持板
３３    吊り下げ金具
５０    外装ケース
Ａ      第一保持部
Ｂ      第二保持部
Ｂ１ａ  第一上面押さえ部
Ｂ１ｂ  第二上面押さえ部
Ｃ      第三保持部
Ｄ      断熱材保持部
【図１】
2018055919.tif 000003
【図２】
2018055919.tif 000004
【図３】
2018055919.tif 000005
【図４】
2018055919.tif 000006
【図５】
2018055919.tif 000007
【図６】
2018055919.tif 000008
【図７】
2018055919.tif 000009
【図８】
2018055919.tif 000010